(57)【特許請求の範囲】
【請求項１】
１階において火災が発生した場合、乗りかご２２を最上階に退避させて上動して乗りか
ご２２が最上階に停止時最上階スイッチ１８が乗りかごのカム４３に当接して接点１８ａ
が閉じると乗りかご２２を運転休止し、電磁弁１５を動作するものにおいて
上記電磁弁１５が動作すると昇降路火災警報盤４０の水放水ダイヤル４８と防火壁ダイヤ
ル４６と防火戸ダイヤル４７と火災鎮火ダイヤル４９を動作して
上記水放水ダイヤル４８は１階から５階までを５分計に設定して、水放水制御装置２６を
動作して放水を行い、上記防火壁ダイヤル４６は１、２、３階を２、５、１０分計に設定
して、各階における防火壁制御装置２３を動作させて昇降路の左側の防火壁２−５と前方
の防火壁６を閉鎖させ、
上記防火戸ダイヤル４７は１、２、３階を４、７、１２分計に設定して各階における防火
戸制御装置２４を動作させて昇降路を防火戸１で密閉閉鎖させ
上記火災鎮火ダイヤル４９は１階から５階までを３０分計に設定して、３０分後に１階か
ら５階までの火災鎮火制御装置３２を動作させて、赤外線検出器３１を動作させ、上記赤
外線検出器３１が赤外線を検出しなくなって５分後には、水放水制御装置２６を停止させ
て放水を停止させるものとし、
上記防火壁制御装置２３の動作により閉鎖した各階の昇降路の左側の防火壁２−５と前方
の防火壁６により、安全回路のスイッチ２ｂ−６ｂが閉じ、上記安全回路のスイッチ２ｂ
−６ｂが閉じた１分後に、第２の防火壁制御装置２３を動作させて、右側の防火壁７−１
２を閉鎖させるものとし、
上記電磁弁１５が動作してから２分後に１階の防火壁制御装置２３が動作して１階の昇降
路の左側の防火壁２−５と前方の防火壁６を閉鎖させ、第２の防火壁制御装置２３は安全
回路のスイッチ２ｂ−６ｂが閉じた１分後に動作して１階の昇降路の右側の防火壁７−１
２を閉鎖させ、上記電磁弁１５が動作してから４分後に防火戸制御装置２４を動作し、昇
降路の１階を防火戸１で密閉閉鎖し、
上記電磁弁１５が動作してから５分後に２階の防火壁制御装置２３が動作して２階の昇降
路の左側の防火壁２−５と前方の防火壁６を閉鎖させ、第２の防火壁制御装置２３は安全
回路のスイッチ２ｂ−６ｂが閉じた１分後に動作して２階の昇降路の右側の防火壁７−１
２を閉鎖させ、上記電磁弁１５が動作してから７分後に防火戸制御装置２４を動作し、昇
降路の２階を防火戸１で密閉閉鎖し
上記電磁弁１５が動作してから１０分後に３階の防火壁制御装置２３が動作して３階の昇
降路の左側の防火壁２−５と前方の防火壁６を閉鎖させ第２の防火壁制御装置２３は安全
回路のスイッチ２ｂ−６ｂが閉じた１分後に動作して３階の昇降路の右側の防火壁７−１
２を閉鎖させ、上記電磁弁１５が動作してから１２分後に防火戸制御装置２４を動作し、
昇降路の３階を防火戸１で密閉閉鎖し
上記電磁弁１５が動作してから５分後に１階から５階までの水放水制御装置２６を動作さ
せて放水を行い、上記電磁弁１５が動作してから３０分後に１階から５階までの火災鎮火
制御装置３２を動作させて赤外線検出器３１を動作させ、上記赤外線検出器３１が赤外線
を検出しなくなって５分後には放水を停止させて成る
昇降路火災警報装置。    
【発明の詳細な説明】
【技術分野】
【０００１】
本発明はビル火災において乗りかご昇降路に流入した煙が上層階へ拡散することを防止するに好適なる昇降路火災警報装置である。
【背景技術】
【０００２】
従来の昇降路火災警報装置は、火災時、上動して乗りかごが最上階停止するエレベータ装置が記載されている。（例えば、特許文献１を参照）。
火災発生時、水放水制御装置が動作して電磁弁が作動し、水放水ノズルより水の放出を行なう昇降路火災警報装置が記載されている。（例えば、特許文献２を参照）。
水放水灯を適宜点灯、消灯させる点が記載されている。（例えば、特許文献３を参照）。
（特に、第８段落及び第２図）。
火災を知らせる装置を設けることは、従来知られている。（必要あれば実願昭６３−１４４３８１号（実開平２−６７４９４号）のマイクロフイルム、実願昭５０−８１０５９号（実願昭５１−１６０３５０号）のマイクロフイルム参照。）。
火災時、制御装置が動作し、電磁石を駆動させ、昇降路を閉塞する装置を転倒させる点が掲載されている。（例えば、特許文献４を参照）。
火災の鎮火で、水放水制御装置を停止させる点が記載されている。
（例えば、特許文献５を参照）。
火災発生から適宜設定した時間が経過したとき、防災設備を作動するものとすることは、従来周知である。（必要あれば、特開平６１−１４８５９７号公報、特開平６−９４７８０号公報。）。
また、消火栓からの水を配水管に満たすための制御は、通常行なわれることであり、その際、満水時間は、当業者が適宜設定しうる事項である。
そして、火災を知らせる装置を、適宜停止させることは、通常行なわれることである。
上記従来周知の火災を知らせる装置を設けることは、当業者が容易に想到し得たことである。また防災設備を起動する際、上記従来周知技術を採用し、起動時間を設定するものとすること、及び、表示灯による作業状態に応じた表示を、火災鎮火時にも行なうものとすることは、当業者が適宜になし得る設計変更に過ぎない。
【特許文献１】特開平５−３１９７２１号  公報
【特許文献２】特開平２００２−２７４７６８号  公報
【特許文献３】特開平２００２−２２４２３９号  公報
【特許文献４】特開昭５８−２０７２６３号  公報
【特許文献５】特開２００１−２７６２７０号  公報
【発明の開示】
【発明が解決しようとする課題】
【０００３】
火災時、乗りかご昇降路への延焼しないように適宜な階床を水放水で冷やし、出火した階近くから順々に防火戸を閉鎖させるかの防火戸の適宜に選択させる手段の課題をどう解決するかの昇降路火災警報装置である。    
【課題を解決するための手段】
【０００４】
本発明は、１階において火災が発生した場合、最上階のスイッチが乗りかごのカムと当接し接点が閉じて、電磁弁が動作すると、昇降路火災警報盤の水放水ダイヤルと防火壁ダイヤルと防火戸ダイヤルと火災鎮火ダイヤルが動作し、昇降路火災警報盤の水放水ダイヤルの１階から５階までを５分計に設定し、５分後には１階から５階の水放水制御装置を動作させ、昇降路内を即効に冷やし火災の延焼と煙の上層階へ拡散するのを防止し、出火階に近い昇降路火災警報盤の防火壁ダイヤルの１、２、３階を２、５、１０分計にし、防火戸ダイヤルは１、２、３階は４、７、１２分計に設定し、防火壁ダイヤルで２分後には１階の防火壁制御装置は動作し、昇降路の左側の防火壁と前方の防火壁の閉鎖で安全回路のスイッチが閉じ、上記安全回路のスイッチが閉じた１分後に、第２の防火壁制御装置を動作させ、１階の右側防火壁を閉鎖させ、安全回路のスイッチを閉じれば防火戸１の閉鎖を可能にし、電磁弁が動作してから防火戸ダイヤルは４分後に１階の防火戸制御装置を動作させ、昇降路の１階を防火戸で密閉閉鎖し、即効の出火階に近い１階の防火戸を閉鎖させる選択ができ、延焼防止し安全回路で安全確認可能にし、順に出火階に近い２階を５分後に、３階を１０分後と順に防火壁制御装置を動作させて、昇降路の２階と３階の左側と前方の防火壁を転倒閉鎖で安全回路のスイッチが閉じることにより動作する第２の防火壁制御装置で２階と３階を順々に動作させ、右側の防火壁の閉鎖で安全回路のスイッチが閉じると、電磁弁が動作してから防火戸ダイヤルは７分後に２階と１２分後に３階を、順々に防火戸制御装置を動作させて、昇降路の２階と３階を防火戸で閉鎖させて、昇降路上方への煙の拡散を防止し、前記した左側と前方の防火壁を早く１分後に右側の防火壁を閉鎖させたのと各階を時間差を付けて防火戸を閉鎖するようにしたから、衝撃音の轟音を和らげる効果を有し、昇降路火災警報盤の水放水ダイヤルを１階から５階を５分計に設定し、電磁弁が動作してから５分後に水放水制御装置は動作し、１階から５階までを５分にさせる手段が可能にし、昇降路の１階か５階の水放水制御装置が動作されれば、火災の出火した階に合わせ適宜に対応の水放水ダイヤルの時間選択の設定が出来、１階から５階までの水放水制御装置のどれかを適宜に動作させる手段を有し、火災鎮火ダイヤルは１階から５階まで３０分計に設定し、電磁弁が動作してから３０分後に１階から５階の火災鎮火制御装置を動作させて成る昇降路火災警報装置である。
【発明の効果】
【０００５】
本発明は、１階において火災が発生した場合、最上階に乗りかごを上動退避させて運転休止し、電磁弁を動作するものにおいて、上記電磁弁が動作すると水放水ダイヤルを１階から５階までを５分計に設定して、５分後に水放水制御装置を動作して放水を行ない、１階から５階までの出火階にも火災の延焼に対応して出火した階の近くを即効に冷やして火災の延焼と煙の拡散を防止し、出火階の１階から順に２階と３階の防火戸を転倒閉鎖すべく防火壁ダイヤルを１、２、３階を２、５、１０分計に設定して、各階における防火壁制御装置を動作させて、昇降路の左側の防火壁と前方の防火壁を閉鎖させ、上記防火戸ダイヤルは１、２、３階を４、７、１２分計に設定して、各階における防火戸制御装置を動作させて、昇降路を防火戸１で密閉閉鎖させ、上記火災鎮火ダイヤルは１階から５階までを３０分計に設定して、３０分後に１階から５階までの火災鎮火制御装置を動作させて、赤外線検出器を動作させ、上記赤外線検出器が赤外線を検出しなくなって５分後には、水放水制御装置を停止させて放水を停止させるものとし、上記防火壁制御装置の動作により閉鎖した各階の昇降路の左側の防火壁と前方の防火壁により安全回路のスイッチが閉じ、上記安全回路のスイッチが閉じて１分後に、第２の防火壁制御装置を動作させて右側の防火壁を閉鎖させるものとし、上記電磁弁が動作してから２分後に１階の防火壁制御装置は動作して、１階の昇降路の左側と前方の防火壁の閉鎖させ、第２の防火壁制御装置は安全回路のスイッチが閉じて１分後に動作して、１階の昇降路の右側の防火壁を閉鎖させ、上記電磁弁が動作してから４分後に防火戸制御装置を動作し、昇降路の１階を防火戸１で密閉閉鎖させ、出火階近い１階の防火戸を即効の閉鎖することで、火災の延焼と煙の上層階に拡散するのを防止し、上記電磁弁が動作してから５分後に２階の防火壁制御装置を動作して、２階の昇降路の左側の防火壁と前方の防火壁を閉鎖させ、第２の防火壁制御装置は安全回路のスイッチが閉じた１分後に動作して、２階の昇降路の右側の防火壁を閉鎖させ、上記電磁弁が動作してから７分後に防火戸制御装置を動作し、昇降路の２階を防火戸１で密閉閉鎖し、上記電磁弁が動作してから１０分後に３階の防火壁制御装置が動作して、３階の昇降路の左側の防火壁と前方の防火壁を閉鎖させ、第２の防火壁制御装置は安全回路のスイッチが閉じた１分後に動作して、３階の昇降路の右側の防火壁を閉鎖させ、上記電磁弁が動作してから１２分後に防火戸制御装置を動作し、昇降路の３階を防火戸１で密閉閉鎖したから昇降路内の煙が上層階へ拡散することを防止し、防火壁制御装置と防火戸制御装置の動作により安全の確認が出来、上記電磁弁が動作してから５分後に１階から５階までの水放水制御装置を動作させて放水を行ない、上記電磁弁が動作してから３０分後に１階から５階までの火災鎮火制御装置を動作させて、赤外線検出器を動作させ、上記赤外線検出器が赤外線を検出しなくなって５分後には、放水を停止させて成るから昇降路内の１階から５階までどの階において火災が発生した場合でも、適宜に対応できる昇降路火災警報装置として効果は大である。
【発明を実施するための最良の形態】
【０００６】
以下に本発明の実施の形態を図１〜図１３に基づいて説明する。
【実施例】
【０００７】
従来から知られている、火災の発生した時に、乗りかご２２を昇降路の最上階に退避させて、上動して乗りかご２２が最上階に停止時、最上階に設けたスイッチ１８に乗りかごのカム４３が当接して接点１８ａが閉じさせて乗りかご２２を運転休止させることが知られている。
【０００８】
実施例を図１、図２で説明すると、火災時、乗りかご２２を最上階に、つり合いおもり１３は最下階に位置し、図３にて乗りかご昇降路２１からつり合いおもり１４を分けて、乗りかご昇降路２１の１、２、３階の各階に防火戸１を設けるようにしたものである。
【０００９】
図８、図１３で解るように昇降路火災警報盤４０と消火栓３０のあいだに電磁弁１５を設置し、配水管を介して１階から５階までの各階に配水管３９で配管して、電磁弁４２と水放水ノズル２５を配設し、同じく、昇降路火災警報盤４０から赤外線検出器３１へと電設配線により１階から５階までの各階に赤外線検出器３１を設け、水放水設備を各階昇降路壁面ごとに穴あけ埋設されている。前記した最上階のスイッチ１８が乗りかご２２のカム４３が当接して接点１８ａが閉じて電磁弁１５が動作すると、昇降路火災警報盤４０の水放水ダイヤル４８と防火壁ダイヤル４６と防火戸ダイヤル４７と火災鎮火ダイヤル４９は動作するようにしてある。
【００１０】
図５、図７について説明すると、両側レール１４、１４の回りで、防火壁枠４４に蝶番
２８、２８で起立状態に枢着させた防火壁３４と防火壁８、９はレール１４回りで転倒閉
鎖させ、転倒閉鎖した当該防火壁で安全回路のスイッチ３ｂ、４ｂ、８ｂ、９ｂが閉じる
ことでレール１４、１４の当接することで閉鎖確認ができ図４、図８にて左側と前方及び
右側の防火壁２、５、６、７、１０、１１、１２のそれぞれは、両側端を回転軸３４、３
４で防火壁４４上に起立状態に枢着され、当該防火壁が転倒閉鎖すれば防火壁に取着した
カム４３、４３により安全回路のスイッチ２ｂ、５ｂ、６ｂ、７ｂ、１０ｂ、１１ｂ、１
２ｂが閉じれば防火壁制御装置２３と第２の防火壁制御装置２３の安全確認ができ、乗り
かご昇降路２１に常時は起立開放させて、防火壁を図３の如くに防火壁２から防火壁１２
までを転倒閉鎖させ、図６に示すように、当該防火壁先端に枢着した防火戸受け枠２７、
２７も共に転倒し、レールゲージの幅の防火戸枠４５上に回転軸４３、４３で防火戸１は
起立状態に枢着され、防火戸１を転倒閉鎖させる防火戸制御装置２４の動作で、防火戸１
を防火戸受け枠２７、２７上に転倒閉鎖させるようにしてある。
図３、図４で解るように、昇降路内の防火壁枠４４に蝶番２８、２８で起立状態に枢着
させた左側に防火壁２、３、４、５と前方の防火壁６を配設して、防火壁制御装置２３が
動作して、昇降路に転倒した防火壁で安全回路のスイッチ２ｂ、３ｂ、４ｂ、５ｂ、６ｂ
が閉じ、上記安全回路のスイッチ２ｂ、３ｂ、４ｂ、５ｂ、６ｂが閉じた１分後に、第２
の防火壁制御装置２３を動作させて、昇降路の右側の防火壁７、８、９、１０、１１、１
２を閉鎖させ、上記防火壁で安全回路のスイッチ７ｂ、８ｂ、９ｂ、１０ｂ、１１ｂ、１
２ｂを閉じさせるようになっており、昇降路に転倒閉鎖した当該防火壁の先端防火壁受け
枠２７上に、図６の如くにレールゲージ間隔の両レール１４、１４で回りを防火戸１が転
倒閉鎖するようになっており、防火戸１は防火戸枠４５上に両側端を回転軸３４、３４で
防火戸１を転倒閉鎖できる起立状態に枢着してあり、防火戸制御装置４が動作すれば、防
火戸１は閉鎖し、当該防火戸受け枠２７、２７上に転倒し密閉閉鎖するようになっている
。
【００１１】
図８で解るように、防火戸１の両側端に回転軸３４、３４を突設防火戸枠４５に設けた
軸受けに軸支され、防火戸枠４５上に防火戸１は起立状態になっていて、１階の防火戸制
御装置２４が４分後の動作し、起立していた防火戸１は前記した当該防火壁先端の防火戸
受け枠２７、２７上に転倒し、レールゲージの幅のレール１４、１４間隔の回りを防火戸
１を防火壁先端の防火戸受け枠２７、２７上に転倒閉鎖するようにしてあるから、１階か
ら２階、そして、３階へと順々に閉鎖させて、乗りかご昇降路２１を一枚ずつ防火戸１で
各階を順に密閉閉鎖させたから、閉鎖時の衝撃による轟音を和らげる効果がある。
【００１２】
図４で解るように、転倒閉鎖した防火戸１に設けたカム４３でスイッチ１ｂが閉じると
防火戸１が閉鎖したと解れば防火戸制御装置２４の安全を確認でき、防火戸１の先端中央部には、施錠装置の一部である鍵部３３が突設してあり、当該鍵部３３で防火戸１が閉鎖したとき、前方の防火壁先端の防火戸受け枠２７の先端中央部に鍵受部が設けてあり、当該防火戸１が閉鎖時に鍵受部４１と嵌め合うようにしてある。
【００１３】
防火戸１幅をレールゲージ幅にして、防火戸１を防火戸受け枠２７、２７上で受けて、密閉閉鎖させ、乗りかご昇降路２１の１階から３階までを一枚ずつの防火戸１で転倒閉鎖させ、乗りかご昇降路２１の各階を密閉閉鎖するようにしたものである。
【００１４】
従来から知られているように、火災時、乗りかご昇降路２１に煙が流入すると共に乗場出入口の上端に設けた煙感知器１６が作動し、接点１６ａが閉じ、リレー１７が付勢され接点１７ａが閉じると、火災感知制御装置２９が動作し、乗りかご２２は、図１２に示すように、最上階に向かって上動させ運転停止させ、また、昇降路火災警報装置４０の赤色灯５０と火報ブザー５１が発報するようになっており、それをスイッチ釦５２（ｂ接ロック式）と結線させたから、火災を知らせる赤色灯５０の点灯と火報ブザー５１が発報したのをスイッチ釦５２のロックを外せば、即効の消灯消音させることは従来から知られている。
【００１５】
１階において火災が発生した場合、電磁弁１５が動作するから昇降路火災警報盤４０の水放水ダイヤル４８は１階から５階までを５分計に設定したから、５分後には１階から５階までの水放水制御装置２６を動作させて、電磁弁４２が作動し、消火栓３０から配水管３９で配管した水放水ノズル２５から放水させるものとし、電磁弁１５が動作してから火災鎮火ダイヤル４９は１階から５階までを３０分計に設定したから、３０分後には１階から５階までの火災鎮火制御装置３２を動作させて、赤外線検出器３１を動作させ、上記赤外線検出器３１が赤外線を検出しなくなって５分後には、水放水制御装置２６を停止させて放水を停止させるようにしたものである。
【００１６】
図１０は防火壁制御装置２３と第２の防火壁制御装置２３と防火戸制御装置２４及び水放水制御装置２６の１階床分の角制御装置の詳細説明図であり、火災時、従来から最上階に退避されるのが知られ、煙感知器１６で接点１６ａが閉じリレー１７が付勢され接点１７ａが閉じ、火災感知制御装置２９が制御され、乗りかご２２は、図１２に示すように最上階の５階に向かって運転休止するためにスイッチ１８がカム４３に当接して、接点１８ａが閉じるようになっているのが従来から知られている。
１階において火災が発生した場合、最上階のスイッチ１８が乗りかご２２のカム４３に当接して接点１８ａが閉じて、電磁弁１５が動作すると、昇降路火災警報盤４０の水放水ダイヤル４８と防火壁ダイヤル４６及び防火戸ダイヤル４７と火災鎮火ダイヤル４９は動作し、防火壁ダイヤル４６は１、２、３階を２、５、１０分計と設定して、順に２、５、１０分後には、１、２、３階の防火壁制御装置２３を動作させるもので、先ず、出火階の１階近くからで２分後に１階の防火壁制御装置２３を動作させて、昇降路の左側の防火壁２―５と前方の防火壁６を閉鎖させ、防火壁で安全回路のスイッチ２ｂ−６ｂが閉じ、上記安全回路のスイッチ２ｂ−６ｂが閉じた１分後に、第２の防火壁制御装置２３を動作させて、１階の右側の防火壁７−１２を閉鎖させ、上記防火壁で安全回路のスイッチ７ｂ−１２ｂが閉じ、防火戸ダイヤル４７が１、２、３階を４、７、１２分計に設定してあるから、電磁弁１５が動作してから４分後に１階の防火戸制御装置２４は動作し、昇降路の１階に既に転倒した防火壁先端の防火戸受け枠２７、２７上に防火戸１は転倒し昇降路の１階を防火戸１で密閉閉鎖し、もって、１階から順々に同様の動作で２階と３階の防火壁制御装置で防火壁の左側と前方の防火壁と２階と３階の第２の防火壁制御装置２３で右側の防火壁を閉鎖させて、上記防火壁で安全回路のスイッチ７ｂ−１２ｂが閉じれば、防火戸ダイヤル４７の２階と３階が順々に７分と１２分計に設定して、電磁弁１５が動作してから２階を７分後に、３階を１２分後に防火戸制御装置２４を動作させ、昇降路の２階と３階を順々に防火戸１で密閉閉鎖するようにしたものである。
【００１７】
図１１により詳しく説明すると、１階において火災が発生した場合、従来の昇降機の運転方法は乗りかご２２を最上階に退避移動して乗りかご２２のカム４３を最上階のスイッチ１８に当接して接点１８ａが閉じて、電磁弁１５が動作すると、昇降路火災警報盤４０の水放水ダイヤル４８が動作し、１階から５階までを５分計に設定したから５分後には１階から５階の水放水制御装置２６を動作させて、昇降路内を上方から放水する水で冷やして、即効の延焼を防ぎ、出火階を重点的に水放水ダイヤル４８で１階から５階までを５分計に設定して５分後には水放水制御装置２６を動作させ、１階から５階のどの階でも時間選択できるようにして、即効の火災の延焼を防ぎ上方への煙の流入を防止する。
また、最上階に設けたスイッチ１８の接点１８ａが閉じて、電磁弁１５が動作すると、昇降路火災警報盤４０の火災鎮火ダイヤル４９が１階から５階までを３０分計に設定したから、３０分後には１階から５階までの火災鎮火制御装置３２を動作させて、赤外線検出器３１を動作させ、上記赤外線検出器３１が赤外線を検出しなくなって５分後には、水報水制御装置２６を停止させて放水を停止させるものとする。
【００１８】
昇降路火災警報盤４０の防火壁ダイヤルは１、２、３階を２、５、１０分計と設定してあるから、電磁弁１５が動作してから２分後に１階の防火壁制御装置２３を動作させ、昇降路の左側と前方の防火壁を閉鎖させ、閉鎖した防火壁で安全回路のスイッチが閉じ、上記安全回路のスイッチが閉じた１分後に、第２の防火壁制御装置２３は動作し、昇降路の右側の防火壁を閉鎖し、閉鎖した防火壁で安全回路のスイッチが閉じ、防火戸ダイヤル４７は１、２、３階を４、７、１２分計と設定したから、電磁弁１５が動作してから４分後に防火戸制御装置２４は動作し、防火戸１は既に転倒した防火壁先端の防火戸受け枠２７上に転倒閉鎖して、もって、昇降路の１階を防火戸１で密閉閉鎖し、順々に昇降路の２階と３階を防火戸１で密閉閉鎖し、昇降路内から煙が上層階へ拡散することを防止し、転倒閉鎖した防火戸１で安全回路のスイッチ１ｂが閉じ閉鎖することで、防火戸制御装置２４の動作により安全が確認できる。
【００１９】
防火壁制御装置２３の動作で１階の左側と前方の防火壁の閉鎖で安全回路のスイッチ２ｂ―６ｂが閉じ、上記安全回路のスイッチ２ｂ−６ｂが閉じた１分後に、第２の防火壁制御装置２３を動作させて、昇降路の右側防火壁の閉鎖で安全回路のスイッチ７ｂ−１２ｂが閉じれば、１階の防火戸ダイヤルは４分計に設定してあるから、電位弁１５が動作してから４分後に防火戸制御装置２４は動作し、１階の昇降路を防火戸１で密閉閉鎖し、転倒閉鎖する防火戸１は図６で解るように既に転倒している防火壁先端に枢着した防火戸受け枠２７、２７上に転倒させるようにしてあり、順々に７分後に２階を、１２分後に３階の防火戸制御装置２４を動作させ、昇降路の１階から３階までを防火戸１で密閉閉鎖することで防火壁制御装置２３と第２の防火壁制御装置２３と防火戸制御装置２４が動作して安全であると確認でき、前記した防火壁と防火戸の転倒閉鎖に時間差を設けたから衝撃音の轟音を和らげる効果は勿論煙が上層階へ拡散するのを防止する効果絶大である。
【００２０】
電磁弁１５が動作してから水放水ダイヤル４８は５分後に設定してあるから５分後に１階から５階までの水放水制御装置２６は動作させて、電磁弁４２を作動させ、水放水ノズル２５より放水を行ない、上記電磁弁１５が動作してから３０分後に１階から５階までの火災鎮火制御装置３２を動作させて、赤外線検出器３１を動作させ、上記赤外線検出器３１が赤外線を検出しなくなって５分後には、１階から５階までの水放水制御装置２６を動作させ、電磁弁４２を停止させ、水放水ノズル２５からの放水を停止させるようにした昇降路火災警報装置である。
【図面の簡単な説明】
【００２１】
【図１】本発明の昇降路正面図である。
【図２】本発明の昇降路側面図である。
【図３】本発明の昇降路内防火壁防火戸受け枠の転倒閉鎖状態説明図である。
【図４】本発明の防火戸閉じ状態の昇降路内断面詳細説明図である。
【図５】本発明のつり合いおもり側の防火壁閉鎖状態の昇降路詳細説明図である。
【図６】本発明のレール間隔で防火戸の閉鎖状態を示す昇降路平面図である。
【図７】本発明の防火壁の閉鎖状態を示す昇降路内平面詳細図である。
【図８】本発明の１階の防火壁と防火戸の開放状態を示し赤外線検出器と水放水関連の詳細説明図である。
【図９】本発明のつり合いおもり昇降路と建物外部に設けた昇降路火災警報盤との関連図である。
【図１０】本発明の防火壁制御装置と防火戸制御装置の一階床分の電気回路図である。
【図１１】本発明の防火壁制御装置と防火戸制御装置と水放水制御装置及び火災鎮火制御装置の全階床を示す電気回路図である。
【図１２】本発明の電気表示灯の電気回路図である。
【図１３】本発明の火災鎮火制御装置と赤外線検出器の昇降路取付関連図である。
【符号の説明】
【００２２】
１      防火戸
２、３、４、５、６、７、８、９、１０、１１、１２          防火壁
１ｂ、２ｂ、３ｂ、４ｂ、５ｂ、６ｂ スイッチ
７ｂ、８ｂ、９ｂ、１０ｂ、１１ｂ、１２ｂ スイッチ
１３    つり合いおもり              １４      レール
１５    電磁弁                      １６      煙感知器
１６、１７、１８        接点        １７      リレー
１８    スイッチ                    １９      つり合いおもり昇降路
２０    調速器昇降路                ２１      乗りかご昇降路
２２    乗りかご                    ２３      防火壁制御装置
２４    防火戸制御装置              ２５      水放水ノズル
２６    水放水制御装置              ２７      防火戸受け枠                
２８    蝶番                        ２９      火災感知制御装置            
３０    消火栓                      ３１      赤外線検出器                
３２    火災鎮火制御装置            ３３      鍵部                        
３４    回転軸                      ３９      配水管
４０    昇降路火災警報盤            ４１      鍵受部                      
４２    電磁弁                      ４３      カム                        
４４    防火壁枠                    ４５      防火戸枠                    
４６    防火壁ダイヤル              ４７      防火戸ダイヤル              
４８    水放水ダイヤル              ４９      火災鎮火ダイヤル            
５０    赤色灯                      ５１      火報ブザー                  
５２    スイッチ釦（ｂ接点ロック式）
【図１】
0003990348.tif 000002
【図２】
0003990348.tif 000003
【図３】
0003990348.tif 000004
【図４】
0003990348.tif 000005
【図５】
0003990348.tif 000006
【図６】
0003990348.tif 000007
【図７】
0003990348.tif 000008
【図８】
0003990348.tif 000009
【図９】
0003990348.tif 000010
【図１０】
0003990348.tif 000011
【図１１】
0003990348.tif 000012
【図１２】
0003990348.tif 000013
【図１３】
0003990348.tif 000014